(57)【要約】【課題】吸収性物品を取り外すときの剥離音を低減することができる生理用ショーツを提供すること。【解決手段】本発明の生理用ショーツ１は、吸収性物品４が股下部１０に取り付けられて使用される。ショーツ１の股下部１０には、吸収性物品４が固定される股下布１２が設けられており、該股下布１２は、その略全体に亘って、そのすぐ下側に位置している該股下布と略同形の股下部１０を形成している身生地１１と、少なくともそれらの長手方向の両側縁部を除く部分において、長手方向に亘る多条固定部２によって一体的に縫着固定されている。【選択図】図１
2006305148.tif 000002
【特許請求の範囲】
【請求項１】
吸収性物品が股下部に取り付けられて使用される生理用ショーツであって、
前記股下部には、前記吸収性物品が固定される股下布が設けられており、該股下布は、その略全体に亘って、そのすぐ下側に位置している該股下布と略同形の布と、少なくともそれらの長手方向の両側縁部を除く部分において、長手方向に亘る多条固定部によって固定されている生理用ショーツ。
【請求項２】
前記股下布と前記股下部を形成している身生地とが、前記多条固定部で固定されている請求項１記載の生理用ショーツ。
【請求項３】
前記股下布と前記股下部を形成している身生地との間に、該股下布と略同形の布が配されており、該布と前記股下布とが多条固定部で固定されている請求項１記載の生理用ショーツ。
【請求項４】
前記股下布と前記股下部を形成している身生地との間に、板状の保形片が配されており、該保形片は、前記股下布と前記身生地と共に多条固定部で固定されている請求項１記載の生理用ショーツ。
【請求項５】
前記多条固定部は、線状であり、前記股下布の長手方向に連続して形成されている請求項１〜４の何れかに記載の生理用ショーツ。
【請求項６】
前記多条固定部は、縫着により形成されている請求項１〜５の何れかに記載の生理用ショーツ。
【請求項７】
前記多条固定部は、熱融着により形成されている請求項１〜５の何れかに記載の生理用ショーツ。
【請求項８】
前記多条固定部は、粘着剤により形成されている請求項１〜５の何れかに記載の生理用ショーツ。
【発明の詳細な説明】
【技術分野】
【０００１】
本発明は、股下部に吸収性物品が取り付けられて使用される生理用ショーツに関する。
【背景技術】
【０００２】
生理用品等の吸収性物品は、ずれ止め材でショーツ等に固定されて使用され、使用後は、当該ずれ止め材がショーツ等から剥がされて吸収性物品が取り外され、廃棄される。
ところで、従来の生理用ショーツは、ずれ止め材を剥がして吸収性物品を取り外すときに、剥離音が発生する。これは、吸収性物品をショーツ等から引き剥がす際に、ずれ止め材が、ショーツ等の生地表面を部分的に強く引っ張り変形させることによって、バリバリといった剥離音が発生するものである。そして、剥離音の発生は、トイレや更衣室等で交換する際、他人に交換や吸収性物品の使用を気づかれ、または気づかれるのを恐れ、使用者にストレス等の不快感を与える場合もある。
【０００３】
一方、生理用ショーツには、下記特許文献１及び２に記載の技術のように、吸収性物品の取り付けを容易にしたり、吸収性物品をショーツの股下部の所定の位置に安定的且つ確実に保持させること等を目的として、ショーツ股下部と略同形の部材を股下部に配したものは知られている。しかし、吸収性物品を取り外すときの剥離音を低減するようなものは知られていない。
【０００４】
【特許文献１】特開２００１−５５６０２号公報
【特許文献２】特開２００２−３４５８９１号公報
【発明の開示】
【発明が解決しようとする課題】
【０００５】
従って、本発明の目的は、吸収性物品を取り外すときの剥離音を低減することができるため、使用者の不快感を軽減することができる生理用ショーツを提供することにある。
【課題を解決するための手段】
【０００６】
本発明は、吸収性物品が股下部に取り付けられて使用される生理用ショーツであって、前記股下部には、前記吸収性物品が固定される股下布が設けられており、該股下布は、その略全体に亘って、そのすぐ下側に位置している該股下布と略同形の布と、少なくともそれらの長手方向の両側縁部を除く部分において、長手方向に亘る多条固定部によって固定されている生理用ショーツを提供することにより、上記目的を達成したものである。
【発明の効果】
【０００７】
本発明によれば、吸収性物品を取り外すときの剥離音を低減することができるため、使用者の不快感を軽減することができる。
【発明を実施するための最良の形態】
【０００８】
以下、本発明の生理用ショーツの好ましい第１実施形態について、図１〜図４を参照しながら説明する。
【０００９】
第１実施形態の生理用ショーツ１は、図１に示すように、吸収性物品４が股下部１０に取り付けられて使用される。ショーツ１の股下部１０には、吸収性物品４が固定される股下布１２が設けられており、該股下布１２は、その略全体に亘って、そのすぐ下側に位置している該股下布と略同形の布１３と、少なくともそれらの長手方向の両側縁部を除く部分において、長手方向に亘る多条固定部２によって縫着固定されている。ここで、本実施形態における前記布１３は、股下部１０を形成している身生地１１であり、股下布１２と身生地１１とが、多条固定部２で縫着されて一体的に固定されている。
また、本実施形態のショーツ１において、股下布１２と身生地１１とは、図２に示すように、それらの周囲、具体的には長手方向の両側縁部及び幅方向の両側縁部においても縫着されており、本実施形態のショーツ１における股下部１０は、いわゆる１重クロッチ（シングルクロッチともいう）である。
【００１０】
本実施形態のショーツ１について、詳述すると、多条固定部２は、図２に示すように、長手方向に沿っている複数の長手方向固定部２０、２０…と、幅方向に沿っている複数の幅方向固定部２１、２１…とから形成されている。多条固定部２を形成している長手方向固定部２０は、直線及び曲線状の縫着部であり、股下布１２の前端部から後端部に亘って、長手方向に沿って連続して形成されている。多条固定部２を形成している幅方向固定部２１も、直線及び曲線状の縫着部であり、股下布１２の長手方向の両側縁部に亘って、幅方向に沿って連続して形成されている。
【００１１】
本実施形態のショーツ１における股下部１０を形成している身生地１１は、股下布１２と多条固定部２によって縫着されており、ショーツ１の股下部１０をショーツ外側から見た場合、身生地１１の上に図２と同様の縫着パターンが見られる。
このように、本実施形態のショーツ１における股下部１０は、縫着による多条固定部２が設けられているため、その剛性が高められている。
【００１２】
また、股下部１０に固定される吸収性物品４について説明すると、吸収性物品４は、図１（ｂ）に示すように、ショーツ等に固定されるためのずれ止め材４０を有しており、該ずれ止め材４０を介して、股下布１２と接着されている。
本実施形態のショーツ１における股下布１２の多条固定部２は、剥離音を低減する観点から、ずれ止め材４０を接着する股下布１２の領域全面積に設けられていることが好ましい。本実施形態においては、股下布１２の略全体に亘って、多条固定部２が設けられており、吸収性物品４が、接着されるべき所定の位置からずれて股下布１２に固定されたとしても、吸収性物品４が股下布１２の上に接着される限りにおいて、ずれ止め材４０は、多条固定部２の上に接着固定される。
【００１３】
本実施形態のショーツ１の多条固定部２について、更に説明すると、長手方向固定部２０は、図２に示すように、幅方向に沿って所定の間隔で設けられている。尚、所定の間隔とは、股下布１２の長手方向におけるある位置において、幅方向に所定の間隔で設けられているものである。また、多条固定部２を形成している幅方向固定部２１も、長手方向に沿って所定の間隔で設けられている。
この長手方向固定部２０は、剥離音を低減する共に股下部１０の柔軟性を損なわない観点から、幅方向に沿って３〜２０ｍｍの間隔で設けられていることが好ましく、特に３〜１０ｍｍの間隔であることが好ましい。幅方向固定部２１も、同様の観点から、長手方向に沿って３〜２０ｍｍの間隔で設けられていることが好ましく、特に３〜１０ｍｍの間隔であることが好ましい。
【００１４】
本実施形態におけるショーツ１の多条固定部２において、長手方向固定部２０と幅方向固定部２１とは、図２に示すように、互いに略直交して交差しており、該交差部は格子状に設けられている。互いに隣接している２つの長手方向固定部２０、２０と、互いに隣接している２つの幅方向固定部２１、２１とに囲まれて、図２に示すように、略矩形形状の単位固定部２２が形成されている。多条固定部２は、該単位固定部２２が、長手方向及び幅方向に複数並んだ構成となっている。
【００１５】
本実施形態のショーツ１における股下部１０において、その長手方向に沿った断面には、図３に示すように、複数の単位固定部２２が並んでいる。単位固定部２２の該断面は、股下布１２の一部及び身生地１１の一部と、幅方向固定部２０、２０とから形成されている。単位固定部２２の該断面における前後端部それぞれは、幅方向固定部２０の一部であり、それらの間は、股下布１２の一部と身生地１１の一部とが当接又は離間している。単位固定部２２の長さは、幅方向固定部２０の長手方向に沿った間隔と対応している。また、単位固定部２２は、図１（ｂ）に示すように、幅方向の両端部も、長手方向固定部２０、２０によって固定されており、幅方向に沿った断面についても、前述と同様に説明される。
【００１６】
次に、本実施形態のショーツ１の股下部１０に接着されている吸収性物品４が、股下布１２から剥離される様子を、以下に説明する。
吸収性物品４は、装着時には、図４(ａ)に示すように、股下部１０の長手方向に沿って、ずれ止め材４０を介して股下布１２の上に接着固定されている。吸収性物品４を股下部１０から剥離する際には、吸収性物品４の前端部又は後端部を摘んで、股下部１０の長手方向に沿って外される。この際、ずれ止め材４０を介して、股下布１２を部分的に強く引っ張り変形させ、ずれ止め材４０が股下布１２から剥がされる際に、バリバリといった剥離音が発生する。この剥離音は、吸収性物品に起因するものと、ショーツに起因するものとがある。この内、本発明は、ショーツに起因する剥離音を低減するものである。
【００１７】
本実施形態のショーツ１における股下部１０から、吸収性物品４を長手方向に沿って剥離すると、ずれ止め材４０は、ある単位固定部２２を形成している股下布１２の一部を部分的に強く引っ張るが、股下布１２の該一部が身生地１１から離間しうる長さは、股下布１２の該一部の前後端部が身生地１１と固定されているため、その寸法に対応した長さのみとなる。前記長さは、多条固定部２が設けられていない場合、つまり、股下部１２が股下部１０の前後端部においてのみ身生地１１と固定されている場合と比べて、はるかに小さい。この前記長さは、例えば、単位固定部２２を形成している股下布１２の一部と身生地１１の一部との間の最大離間距離Ｌが指標となりうる。最大離間距離Ｌは、図４（ｂ）に示すように、ずれ止め材４０が股下布１２を部分的に強く引っ張る際、単位固定部２２における股下布１２の一部と身生地１１の一部とが離間する最大距離である。
この最大離間距離Ｌは、剥離音を低減すると共に股下部１０の柔軟性を損なわない観点から、具体的には、０〜１０ｍｍであることが好ましく、０〜５ｍｍであることが更に好ましい。
【００１８】
前述した構成を有する本実施形態のショーツ１において、吸収性物品４のずれ止め材４０が、一つの単位固定部２２を形成している股下布１２の一部から剥がされる際、該単位固定部２２から発生する剥離音は、小さなものとなる。この剥離音の低減効果は、多条固定部２が設けられていない場合と比べて、剥離音の振幅が小さくなり且つ周波数分布が低い方へ変化するためと考えられる。更に、単位固定部２２は、図４（ｂ）に示すように、その前後端部が固定されており、一つの単位固定部２２で発生した振動が、隣接する単位固定部２２へ伝わることが効果的に防止されており、振幅の増幅が低減されると考えられる。
また、吸収性物品４が股下部１０から長手方向に沿って剥がされる際、股下布１２は部分的に幅方向にも引っぱられる。本実施形態において、複数の単位固定部２２、２２…は、幅方向にも沿って形成されており、長手方向について前述した説明は、幅方向についても適用される。従って、股下布１２が部分的に幅方向に引っぱられて生じる剥離音も、その低減がなされる。
【００１９】
本実施形態のショーツ１において、吸収性物品４が股下部１０から取り外される際、該吸収性物品４のずれ止め材４０は、接着されている複数の単位固定部２２、２２…から連続して剥離される。その剥離音は、複数の単位固定部２２、２２…から生じる音の併さったものとなる。各単位固定部２２から生じる剥離音は、前述したように、その振幅が小さく且つ周波数分布が低い方へ変化し、更に振幅の増幅が低減されているため、各単位固定部２２から生じる音の併さった剥離音も、全体としてその耳障りな音が低減されている。
【００２０】
本実施形態のショーツ１について、更に説明すると、股下布１２と股下部を形成している身生地１１との間に、図１（ｂ）及び図２に示すように、板状の保形片３が配されており、該保形片３は、股下布１２と身生地１１と共に多条固定部２で縫着固定されている。保形片３は、更に、股下布１２と長手方向に沿ってジグザグ状に縫着固定されている。保形片３は、ショーツ１の装着中における吸収性物品４のヨレやズレを防止することを目的に股下部１０に剛性を付与すると共に、吸収性物品４の脱着の際の操作性を向上するものである。
保形片３は、図２に示すように、縦長の形状を有しており、股下布１２よりも長さ及び幅が小さく、股下布１２の略中央部に縫着固定されている。
【００２１】
本実施形態におけるショーツ１の保形片３は、前述したように、ヨレ防止性や操作性の向上を目的とするものであるが、剥離音を低減するための制振材の機能も、ある程度有している。保形片３により、剥離音の一部が吸収されたり、音の振幅が小さくされることにより、剥離音は低減される。更に、保形片３に対して、制振材の機能を積極的に併せ持たすことも好適である。
【００２２】
本実施形態のショーツ１について、更にまた説明すると、図１（ａ）に示すように、着用者の腹側に配される前身頃及び着用者の背側に配される後身頃を有しており、該前身頃の両側縁部と該後見頃の両側縁部とが互いに縫着により接合されてウエスト開口部及び一対のレッグ開口部が形成されている。
【００２３】
本実施形態のショーツ１おいて、股下布１２はほとんど伸縮性を有さない、また、股下部を形成している身生地１１としては、伸縮性を有することが好ましく、従来の生理用ショーツ等において用いられている各種の布材料を用いることができるが、特に綿糸やナイロン糸、ポリエステル糸をベースにした緯編した編物、また綿糸やナイロン糸、ポリエステル糸をベースにした織物が好ましい。
また、前身頃及び後身頃の形成材料としては、従来の生理用ショーツ等において用いられている各種の布材料を用いることができるが、特にポリウレタン糸と綿糸やナイロン糸と交編にして編み込んだ緯編や経編、また綿糸やナイロン糸、ポリエステル糸をベースにした緯編した編物が好ましい。
【００２４】
本実施形態のショーツ１における保形片３の形成材料としては、不織布等の繊維シート、樹脂製のプラスチック等、従来の生理用ショーツ等において用いられている各種の材料を用いることができる。特に、保形片３に制振材の機能を併せ持たす場合には、その材料としては、天然ゴム、ブタジエンゴム、アクリロニトリルブタジエンゴム、スチレンブタジエンゴム、ブチルゴム、ウレタンゴム等の防振ゴム等の合成樹脂からなるフィルムシート、樹脂ネット、繊維シートが挙げられる。
吸収性物品４としては、ずれ止め材で固定する吸収性物品であれば特に制限はなく、生理用ナプキン、失禁用パッド、パンティライナー、補助パッド等の吸収性物品が挙げられる。
【００２５】
上述した本実施形態の生理用ショーツ１によれば、股下部１０に多条固定部２が設けられているため、股下部１０の剛性が高められており、吸収性物品１０の装着中のヨレやズレの防止性及び脱着時の操作性が向上している。また、保形片３を有しているため、これらの効果が更に高められると共に、剥離音の低減効果も増している。
【００２６】
次に第２実施形態の生理用ショーツ１を、図５を参照しながら説明する。第２実施形態について、特に説明しない点については、第１実施形態に関して詳述した説明が適宜適用される。また、図５において、図１〜図４と同じ部材に同じ符号を付してある。
【００２７】
本発明の生理用ショーツ１の好ましい第２実施形態は、図５に示すように、股下布１２と股下部を形成している身生地１１との間に、該股下布１２と略同形の布１３が配されており、該布１３と股下布１２とが多条固定部２で固定されている。
股下布１２は、その略全体に亘って、図２と同様の縫着パターンで前記布１３と多条固定部２によって一体的に縫着固定されている。また、股下布１２と前記布１３とは、それらの周囲、具体的には長手方向の両側縁部及び幅方向の両側縁部においても縫着されている。股下１２及び前記布１３と身生地１１とは、股下部１０の前後端部において縫着固定されており、その間においては離間している。
【００２８】
また、本実施形態のショーツ１における股下布１２及び前記布１３は、図５に示すように、股下部１０を形成している身生地１１よりも狭幅となっている。本実施形態のショーツ１における股下部１０は、いわゆる２重クロッチ（ダブルクロッチともいう）である。２重クロッチの股下部は、特にウイング付き吸収性物品の装着に好適である。吸収性物品の左右に設けられている一対のウイング部は、それぞれ、前記布１３の下側に接着固定されるので、一対の該ウイング部は、股下部の身生地１１により覆われている。そのため、一対の該ウイング部は、ショーツ１の外側に露出しないため、体の動きによって、ウイングが股下部１０から剥がれ難くなっている。
尚、本実施形態のショーツ１は、保形片は設けられていない。
【００２９】
本発明は、上述した実施形態に制限されることなく、本発明の趣旨を逸脱しない限り適宜変更が可能である。
例えば、本発明のショーツにおける多条固定部は、各実施形態において、長手方向又は幅方向に沿って設けられているが、股下布の略全体に亘って且つ長手方向に亘っていれば良く、長手方向又は幅方向に沿っていなくても良い。
また、多条固定部は、各実施形態において直線又は曲線状に形成されているが、ジグザグ線状に形成されていても良い。
また、多条固定部は、各実施形態において縫着により形成されているが、熱融着又は粘着剤により形成されていても良い。
【実施例】
【００３０】
以下、本発明の実施例を用いて更に説明する。ただし、本発明の範囲はかかる実施例に制限されるものではない。
【００３１】
[実施例１]
股下布：幅８０ｍｍ×長さ２００ｍｍ、材質は、ロリエショーツ（製品名：アクティブガード  おでかけモード  ベーシックショーツ）の股下布を形成している生地を使用（パイル地）
身生地：幅８０ｍｍ×長さ２００ｍｍ、材質綿８８%、ポリウレタン１２％のロリエショーツ（製品名：アクティブガード  コットンフィール）
試験サンプルの製造方法：股下布及び身生地を重ね合わせ、それらの周囲四方を、ミシンを用いてナイロン糸で直線縫いし、更に、図６（ａ）に示すように、試験サンプルの長手方向の両端縁部に亘るように、幅方向に沿って１０ｍｍ間隔で直線縫いした後、試験サンプルの幅方向の両端縁部に亘るように、長手方向に沿って１０ｍｍ間隔で直線縫いし多条固定部を形成して、実施例１を得た。
【００３２】
[実施例２]
長手方向及び幅方向それぞれに亘る多条固定部の間隔を２０ｍｍとした他は、実施例１と同様にして実施例２を得た。
【００３３】
[実施例３]
多条固定部の縫着パターンは、図６（ｂ）に示すように、試験サンプルの幅方向の両端縁部に亘るように、長手方向に沿って１０ｍｍ間隔で直線縫いし多条固定部を形成した他は、実施例１と同様にして実施例３を得た。実施例３における単位固定部は、その幅が、幅方向の両端縁部に亘り、長さが１０ｍｍの形状を有している。
【００３４】
[実施例４]
多条固定部の縫着パターンは、図６（ｃ）に示すように、試験サンプルの長手方向の両端縁部に亘るように、幅方向に沿って１０ｍｍ間隔で直線縫いし多条固定部を形成した他は、実施例１と同様にして実施例４を得た。実施例４における単位固定部は、その幅が、１０ｍｍであって、長さが長手方向の両端縁部に亘った形状を有している。
【００３５】
[比較例１]
多条固定部を設けていない他は、実施例１と同様に試験サンプルを作製して比較例１
を得た。
[比較例２]
股下布のみを試験サンプルとして比較例２を得た。なお、試験サンプルの周囲四方は、縫着されていない。
【００３６】
[性能評価]
前述したように作製した生理用ショーツの各試験サンプルを用いて、以下の評価を行った。
＜剥離音の音圧評価＞
実施例１〜４及び比較例１及び２の生理用ショーツの股部試験サンプルの股下布を表にして平滑面に載せ、ロリエさらさらクッションウイングつきの裏面シート（１５０×６０ｍｍ）にロリエさらさらクッションウイングつきのズレ止め材をコーター塗工（１００×３０ｍｍ  ４０g/ｍ2）したサンプル片を該股下布の上に載せ、２ｋｇのローラーを１往復して接着させた。接着後（２０秒以内）に、股下布と貼り合せたサンプル片を、幅約６ｍ×長さ約７．５ｍ×高さ約３ｍの音響評価室（環境条件：室温１０〜２５℃、音圧４０ｄＢ相当）の中央（高さ約１ｍ地点）にて人の手によって通常剥がす速度（５００〜２０００ｍｍ／分）で剥離をおこない、剥離時の音圧（ｄＢ）を測定し、音圧の最大値を剥離音とした。音響評価室の測定にはリオン製のＳＡ−２７  １／３オクターブ実時間分析器を用いて、マイクとの距離を３０ｃｍ前後に設定して０．４Ｈｚ〜１００００Ｈｚまでの周波数での音圧レベルを測定した。
その結果を、表１に示す。尚、（）内は比較例１を基準（０）とし、各々の場合での差を示している。
【００３７】
＜剥離音の官能評価＞
実施例１〜４及び比較例１及び２の生理用ショーツの股部試験サンプルの股下布を表にして平滑面に載せ、ロリエさらさらクッションウイングつきの裏面シート（１５０×６０ｍｍ）にロリエさらさらクッションウイングつきのズレ止め材をコーター塗工（１００×３０ｍｍ  ４０g/ｍ2）したサンプル片を該股下布の上に載せ、２ｋｇのローラーを１往復して接着させた。そして、外部の音を遮断して密閉された音響評価室で３人の測定者が接着したサンプル片を剥がして、比較例１と各実施例及び比較例２との剥離音レベルの差を下記の三段階で官能評価を行った。
○：比較例１に比べて剥離音が低下したと感じた
△：比較例１に比べて剥離音がやや小さくなったと感じた
×：差が感じられない
【００３８】
表１に示す結果から明らかなように、本実施例の生理用ショーツの試験サンプルの剥離音は、比較例に対して低減していることが判る。音圧評価において、実施例３と比較例１とはほぼ近い値を示しているが、官能評価において、実施例３の剥離音レベルが比較例１よりも低減している理由は、剥離音の音程が低い方へ変化しているためと考えられる。
【００３９】
【表１】
2006305148.tif 000003
【図面の簡単な説明】
【００４０】
【図１】図１は、本発明の生理用ショーツの第１実施形態を模式的に示す図であり、（ａ）は斜視図であり、（ｂ）は（ａ）のＸ−Ｘ線拡大断面図である。
【図２】図２は、図１に示すショーツのショーツ内側からみた股下部近傍の平面図である。
【図３】図３は、図２のＹ−Ｙ線拡大断面図の一部を模式的に示している。
【図４】図４は、吸収性物品を股下部から剥離する様子を模式的に示す断面図であり、（ａ）は吸収性物品が接着されている状態であり、（ｂ）は吸収性物品を剥離している状態である。
【図５】図５は、本発明の生理用ショーツの第２実施形態を示す断面図である。
【図６】図６は、本発明における生理用ショーツの各実施例の縫着パターンを示す平面図であり、（ａ）は実施例１及び２、（ｂ）は実施例３、（ｃ）は実施例４について示す。
【符号の説明】
【００４１】
１      生理用ショーツ
１０  股下部
１１  股下部を形成している身生地
１２  股下布
１３  股下布と略同形の布
２      多条固定部
２０  長手方向固定部
２１  幅方向固定部
２２  単位固定部
３      保形片
４      吸収性物品
４０  ずれ止め材
Ｌ      最大離間距離
【図１】
2006305148.tif 000004
【図２】
2006305148.tif 000005
【図３】
2006305148.tif 000006
【図４】
2006305148.tif 000007
【図５】
2006305148.tif 000008
【図６】
2006305148.tif 000009